(57)【特許請求の範囲】
【請求項１】
少なくとも膝関節をまたぐ領域を覆う衣服であって、
帯状の下腿緊締部を有し、前記下腿緊締部は、大腿骨の外側上顆よりも近位かつ後方から膝蓋骨下部を通って下腿内側に至るように形成されており、
さらに帯状の大腿緊締部を有し、前記大腿緊締部は大腿骨の外側上顆よりも遠位かつ後方の前記下腿緊締部に接続する位置から膝蓋骨上部を通り大腿内側に至るように形成されており、
前記大腿緊締部は、衣服本体に形成されている接合部と、一方の末端が大腿骨の外側上顆よりも遠位かつ後方の前記下腿緊締部に接続する位置に固定され、他方の末端は前記接合部と脱着可能に接合する取付け部で構成されていることを特徴とする衣服。
【請求項２】
少なくとも膝関節をまたぐ領域を覆う衣服であって、
帯状の下腿緊締部を有し、前記下腿緊締部は、大腿骨の内側上顆よりも近位かつ前方から膝裏を通って下腿外側に至るように形成されており、
さらに帯状の大腿緊締部を有し、前記大腿緊締部は大腿骨の内側上顆よりも遠位かつ後方の前記下腿緊締部に接続する位置から膝蓋骨上部を通り大腿外側に至るように形成されており、
前記大腿緊締部は、衣服本体に形成されている接合部と、一方の末端が大腿骨の内側上顆よりも遠位かつ後方の前記下腿緊締部に接続する位置に固定され、他方の末端は前記接合部と脱着可能に接合する取付け部で構成されていることを特徴とする衣服。
【請求項３】
前記下腿緊締部は、大腿骨の外側上顆よりも近位かつ後方から膝蓋骨下部を通って下腿内側の内踝上部に至るように形成されている請求項１に記載の衣服。
【請求項４】
前記下腿緊締部は、大腿骨の内側上顆よりも近位かつ前方から膝裏を通って下腿外側の外踝上部に至るように形成されている請求項２に記載の衣服。
【請求項５】
前記大腿緊締部は大腿骨の外側上顆よりも遠位かつ後方の前記下腿緊締部に接続する位置から膝蓋骨上部を通り大腿内側のクロッチに至るように形成されている請求項１又は３に記載の衣服。
【請求項６】
前記大腿緊締部は大腿骨の内側上顆よりも遠位かつ後方の前記下腿緊締部に接続する位置から膝蓋骨上部を通り大転子に至るように形成されている請求項２又は４に記載の衣服。
【請求項７】
さらに腰緊締部を有し、前記腰緊締部は仙骨と上前腸骨棘を覆うように形成されている請求項１〜６のいずれか１項に記載の衣服。
【発明の詳細な説明】
【技術分野】
【０００１】
本発明は、少なくとも膝関節をまたぐ領域を覆う衣服に関する。
【背景技術】
【０００２】
従来から、衣服について、緊締力が強い部分を形成し、脚部の運動をサポートする提案があった。例えば、特許文献１には、大腿部の前側部分の外側上方から内側下方にかけて斜めに形成される大腿部前側緊締部と、大腿部の後側部分の外側上方から内側下方にかけて斜めに形成される大腿部後側緊締部と、下腿部の前側部分の内側上方から外側下方にかけて斜めに形成される下腿部前側緊締部を有する股付き衣類が記載されている。
【０００３】
一方、ヒトの膝関節はその構造から最大伸展位付近で下腿が大腿に対して外旋位へ誘導される。これは、前十字靭帯と後十字靭帯が絡み合うことと、大腿骨の内側顆が外側顆より大きいことが主な原因である。一般的にこの下腿外旋の一連の動きをスクリューホームムーブメントと呼ぶ。疾病や故障などで膝に不都合を持つ者は適正にスクリューホームムーブメントが起こらないことがある。また、高齢者は靭帯のテンションの低下や、筋力の低下により膝を伸展しきれないことが原因で正常なスクリューホームムーブメントが起こらないことがある。スクリューホームムーブメントが正常に起こらない場合、歩行中の膝の安定性が低下し歩行に影響が現れるばかりでなく、不自然な歩行を続けることで変形性膝関節症などが発症するリスクが高まる。
【先行技術文献】
【特許文献】
【０００４】
【特許文献１】国際公開第２００４／０９１３２８号公報
【発明の概要】
【発明が解決しようとする課題】
【０００５】
特許文献１の衣類は、緊締部で筋肉をサポートすることで、膝関節の屈曲及び伸展運動をしやすくしている。しかし、引用文献１では、スクリューホームムーブメントは考慮されていない。特に、下腿外旋で主に働く筋肉が膝の屈筋であるため、膝伸展時に外旋を誘発することは困難である。
【０００６】
本発明は、上記従来の問題を解決するため、膝伸展時に下腿の外旋を誘発し、スクリューホームムーブメントを促すことができる衣服を提供する。
【課題を解決するための手段】
【０００７】
本発明の衣服は、少なくとも膝関節をまたぐ領域を覆う衣服であって、帯状の下腿緊締部を有し、上記下腿緊締部は、大腿骨の外側上顆よりも近位かつ後方から膝蓋骨下部を通って下腿内側に至るように形成されており、さらに帯状の大腿緊締部を有し、上記大腿緊締部は大腿骨の外側上顆よりも遠位かつ後方の上記下腿緊締部に接続する位置から膝蓋骨上部を通り大腿内側に至るように形成されており、上記大腿緊締部は、衣服本体に形成されている接合部と、一方の末端が大腿骨の外側上顆よりも遠位かつ後方の上記下腿緊締部に接続する位置に固定され、他方の末端は上記接合部と脱着可能に接合する取付け部で構成されていることを特徴とする。また、本発明の衣服は、少なくとも膝関節をまたぐ領域を覆う衣服であって、帯状の下腿緊締部を有し、上記下腿緊締部は、大腿骨の内側上顆よりも近位かつ前方から膝裏を通って下腿外側に至るように形成されており、さらに帯状の大腿緊締部を有し、上記大腿緊締部は大腿骨の内側上顆よりも遠位かつ後方の上記下腿緊締部に接続する位置から膝蓋骨上部を通り大腿外側に至るように形成されており、上記大腿緊締部は、衣服本体に形成されている接合部と、一方の末端が大腿骨の内側上顆よりも遠位かつ後方の上記下腿緊締部に接続する位置に固定され、他方の末端は上記接合部と脱着可能に接合する取付け部で構成されていることを特徴とする。
【発明の効果】
【０００８】
本発明の衣服は、大腿骨の外側上顆よりも近位かつ後方から膝蓋骨下部を通って下腿内側に至るように、或いは、大腿骨の内側上顆よりも近位かつ前方から膝裏を通って下腿外側に至るように下腿緊締部を設けることにより、膝屈曲位では下腿緊締部が弛みテンションが発生しないが、膝最大伸展位付近では下腿緊締部が引っ張られて生じたテンションによって下腿を外旋させ、スクリューホームムーブメントを促すことができる。
【図面の簡単な説明】
【０００９】
【図１】図１Ａは本発明の一実施形態における下肢の前面における下腿緊締部の配置を説明する模式図であり、図１Ｂは同実施形態における下肢の外側面における下腿緊締部の配置を説明する模式図である。
【図２】図２Ａは本発明の一実施形態における下肢の前面における下腿緊締部と大腿緊締部の配置を説明する模式図であり、図２Ｂは同実施形態における下肢の外側面における下腿緊締部と大腿緊締部の配置を説明する模式図である。
【図３】図３Ａは本発明の一実施形態における下肢の後面における下腿緊締部の配置を説明する模式図であり、図３Ｂは同実施形態における下肢の内側面における下腿緊締部の配置を説明する模式図である。
【図４】図４Ａは本発明の一実施形態における下肢の前面における下腿緊締部と大腿緊締部の配置を説明する模式図であり、図４Ｂは同実施形態における下肢の内側面における下腿緊締部と大腿緊締部の配置を説明する模式図である。
【図５】図５Ａは下腿緊締部の配置の検討に用いた下腿内側における所定の位置を説明する模式図であり、図５Ｂは下腿緊締部の配置の検討に用いた大腿骨の外側上顆近辺における所定の位置を説明する模式図である。
【図６】図６は膝屈曲時の角度の変化に伴う大腿骨の外側上顆近辺における所定の位置と下腿内側における所定の位置間の距離の変化を示すグラフである。
【図７】図７Ａは本発明の一例の衣服の正面図であり、図７Ｂは同背面図であり、図７Ｃは同外側面図である。
【図８】図８Ａは本発明の一例の衣服の正面図であり、図８Ｂは同背面図であり、図８Ｃは同外側面図である。
【図９】図９Ａは本発明の他の一例の衣服の正面図であり、図９Ｂは同背面図であり、図９Ｃは同外側面図である。
【図１０】図１０Ａは本発明の他の一例の衣服の正面図であり、図１０Ｂは同背面図であり、図１０Ｃは同外側面図である。
【図１１】図１１は実施例１〜２のランニングタイツ及びコントロールのランニングパンツをそれぞれ着用して歩行した場合の遊脚時最大膝伸展角度を示すグラフである。
【図１２】図１２は実施例１〜２のランニングタイツ及びコントロールのランニングパンツをそれぞれ着用して歩行した場合の最大膝伸展時の内外旋角度を示すグラフである。
【図１３】図１３は実施例１〜２のランニングタイツ及びコントロールのランニングパンツをそれぞれ着用して歩行した場合の立脚中の膝内反角度の最大値を示すグラフである。
【発明を実施するための形態】
【００１０】
下腿外旋筋は膝の屈曲筋であるので、膝伸展時に外旋を誘発することは困難である。本発明者らは、鋭意検討した結果、下肢の適切な部位に下腿緊締部を設けることにより、膝関節の伸展屈曲時に該下腿緊締部によって発生するテンションの違いを利用し、膝伸展時に下腿の外旋を誘発し、スクリューホームムーブメントを促すことができることを見出し本発明に至った。
【００１１】
本明細書において、「内側」とは、下肢の正中線より内側を意味し、「外側」とは、下肢の正中線より外側を意味する。また、「後方」とは、身体の後部を意味し、「前方」とは、身体の前部を意味する。
【００１２】
具体的には、以下のように下腿緊締部の配置部位の条件を検討した。
【００１３】
図５Ａに示しているように下部固定部１０１を下腿内側の内踝上部に設定した。そして、図５Ｂに示しているように、条件１では上部固定部１０２ａを大腿骨１の外側上顆より３ｃｍ近位かつ３ｃｍ後方に設定した。条件２では、上部固定部１０２ｂを大腿骨１の外側上顆２より３ｃｍ近位かつ３ｃｍ前方に設定した。条件３では、上部固定部１０２ｃを大腿骨１の外側上顆２より３ｃｍ遠位かつ３ｃｍ後方に設定した。条件４では、上部固定部１０２ｄを大腿骨１の外側上顆２より３ｃｍ遠位かつ３ｃｍ前方に設定した。本願において、上部固定部と大腿骨の外側上顆間の距離は、近位及び遠位の場合は、上部固定部と大腿骨の外側上顆間の身長方向における最短直線距離をいう。上部固定部と大腿骨の外側上顆間の距離は、前方及び後方の場合は、上部固定部と大腿骨の外側上顆間の周方向における最短直線距離をいう。
【００１４】
それぞれの条件において、下部固定部及び上部固定部にマーカーを貼り付けて、膝屈曲角度を０°から１０°刻みで９０°までに変更したときのマーカー間経路（最短経路）の長さを測定した。膝屈曲角度が９０°の場合のマーカー間経路の長さ（初期長さ）を１００％とし、他の膝屈曲角度時のマーカー間経路の長さの初期長さに対する比率（初期長さ比）を下記表１及び図６に示した。
【００１５】
【表１】
0005947328.tif 000002
【００１６】
上記表１及び図６の結果から分かるように、下部固定部を下腿内側に配置し、条件２及び条件４のように上部固定部を大腿骨の外側上顆より前方に配置すると、膝が伸展するにつれ上部固定部と下部固定部間の距離が短くなり、上部固定部と下部固定部をつなぐように緊締部を配置してもテンションが発生しない。一方、下部固定部を下腿内側に配置し、条件１及び条件３のように上部固定部を大腿骨の外側上顆より後方に配置すると、膝が伸展するにつれ上部固定部と下部固定部間の距離が長くなり、上部固定部と下部固定部をつなぐように緊締部を配置した場合、テンションが発生する。特に、下部固定部を下腿内側に配置し、条件１のように上部固定部を大腿骨の外側上顆より近位かつ後方に配置すると、条件３のように上部固定部を大腿骨の外側上顆より遠位かつ後方に配置した場合と比較して、膝が伸展するにつれ上部固定部と下部固定部間の距離がより長くなり、上部固定部と下部固定部をつなぐように緊締部を配置した場合、より強いテンションが発生する。
【００１７】
本発明の実施形態１の衣服における下腿緊締部の配置を図１に基づいて説明する。図１Ａは下肢の前面における下腿緊締部の配置を説明する模式図であり、図１Ｂは下肢の外側面における下腿緊締部の配置を説明する模式図である。本発明の実施形態１の衣服においては、図１Ａ〜図１Ｂに示しているように、下腿緊締部１０を大腿骨１の外側上顆２よりも近位かつ後方から膝蓋骨３の下部を通って下腿４の内側に至るように帯状に形成することにより、膝屈曲位では下腿緊締部１０が弛みテンションが発生しないが、膝最大伸展位付近では下腿緊締部１０が引っ張られてテンションが発生し、下腿を外旋させることができる。すなわち、本発明の実施形態１の衣服では、下腿緊締部によって膝伸展時に下腿の外旋を誘発し、スクリューホームムーブメントを促すことができる。
【００１８】
実施形態１の衣服において、下腿緊締部は、上部固定部が大腿骨の外側上顆よりも近位かつ後方に配置され、下部固定部が下腿内側に配置されていればよく、特に限定されない。例えば、スクリューホームムーブメントを促しやすい観点から、実施形態１の衣服において、下腿緊締部の上部固定部と大腿骨の外側上顆の身長方向の最短直線距離は０ｃｍ以上であることが好ましく、１ｃｍ以上であることがより好ましく、３ｃｍ以上であることがさらに好ましい。膝屈曲伸展時の快適性の観点から、実施形態１の衣服において、下腿緊締部の上部固定部と大腿骨の外側上顆の身長方向の最短直線距離は２０ｃｍ以下であることが好ましく、１０ｃｍ以下であることがより好ましい。
【００１９】
また、例えば、スクリューホームムーブメントを促しやすい観点から、実施形態１の衣服において、下腿緊締部の上部固定部と大腿骨の外側上顆の周方向の最短直線距離は０ｃｍ以上であることが好ましく、１ｃｍ以上であることがより好ましく、２ｃｍ以上であることがさらに好ましい。膝屈曲伸展時の快適性の観点から、実施形態１の衣服において、下腿緊締部の上部固定部と大腿骨の外側上顆の周方向の最短直線距離は５ｃｍ以下であることが好ましく、３．５ｃｍ以下であることがより好ましい。
【００２０】
本発明の実施形態２の衣服における下腿緊締部の配置を図３に基づいて説明する。図３Ａは下肢の後面における下腿緊締部の配置を説明する模式図であり、図３Ｂは下肢の内側面における下腿緊締部の配置を説明する模式図である。本発明の実施形態２の衣服においては、図３Ａ〜図３Ｂに示しているように、下腿緊締部１１０を大腿骨１の内側上顆６よりも近位かつ前方から膝裏を通って下腿４の外側に至るように帯状に形成することにより、膝屈曲位では下腿緊締部１１０が弛みテンションが発生しないが、膝最大伸展位付近では下腿緊締部１１０が引っ張られてテンションが発生し、下腿を外旋させることができる。すなわち、本発明の実施形態２の衣服では、下腿緊締部によって膝伸展時に下腿の外旋を誘発し、スクリューホームムーブメントを促すことができる。
【００２１】
実施形態２の衣服において、下腿緊締部は、上部固定部が大腿骨の内側上顆よりも近位かつ前方に配置され、下部固定部が下腿外側に配置されていればよく、特に限定されない。例えば、スクリューホームムーブメントを促しやすい観点から、実施形態２の衣服において、下腿緊締部の上部固定部と大腿骨の内側上顆の身長方向の最短直線距離は０ｃｍ以上であることが好ましく、１ｃｍ以上であることがより好ましく、３ｃｍ以上であることがさらに好ましい。膝屈曲伸展時の快適性の観点から、実施形態２の衣服において、下腿緊締部の上部固定部と大腿骨の内側上顆の身長方向の最短直線距離は２０ｃｍ以下であることが好ましく、１０ｃｍ以下であることがより好ましい。
【００２２】
また、例えば、スクリューホームムーブメントを促しやすい観点から、実施形態２の衣服において、下腿緊締部の上部固定部と大腿骨の内側上顆の周方向の最短直線距離は０ｃｍ以上であることが好ましく、２ｃｍ以上であることがより好ましい。膝屈曲伸展時の快適性の観点から、実施形態２の衣服において、下腿緊締部の上部固定部と大腿骨の内側上顆の周方向の最短直線距離は５ｃｍ以下であることが好ましく、３．５ｃｍ以下であることがより好ましい。
【００２３】
本発明の衣服では、上記のように下腿緊締部によって膝伸展時に下腿の外旋を誘発し、スクリューホームムーブメントを促すことにより、歩行時の膝を安定化したり、膝の痛みを緩和したり、スムーズな歩行を促すことができる。
【００２４】
実施形態１の衣服において、上記下腿緊締部は、大腿骨の外側上顆よりも近位かつ後方から膝蓋骨下部を通って下腿内側の内踝上部に至るように形成されていることが好ましい。また、実施形態２の衣服において、上記下腿緊締部は、大腿骨の内側上顆よりも近位かつ前方から膝裏を通って下腿外側の外踝上部に至るように形成されていることが好ましい。膝最大伸展位付近において下腿緊締部により強いテンションがかかることで下腿が外旋しやすくなる。
【００２５】
少なくとも膝関節をまたぐ領域を覆う衣服であれば、上記のような下腿緊締部を設けることにより、膝伸展時に下腿の外旋を誘発し、スクリューホームムーブメントを促すことができる。本発明の衣服は、腰部から少なくとも膝下までを覆うタイツでもよく、膝関節をまたぐ領域を覆う膝サポーターでもよい。また、タイツの場合、丈の長さは膝下丈以上であればよく、特に限定されないが、例えば、７分丈、８分丈、１０分丈などが挙げられる。
【００２６】
本発明の衣服は、さらに帯状の大腿緊締部を有してもよい。実施形態１の衣服の場合、図２に示しているように、大腿緊締部２０は大腿骨１の外側上顆２よりも遠位かつ後方の下腿緊締部１０に接続する位置から膝蓋骨３の上部を通り大腿５の内側に至るように形成されていることが好ましい。より好ましくは、大腿緊締部２０は大腿骨１の外側上顆２よりも遠位かつ後方の下腿緊締部１０に接続する位置から膝蓋骨３の上部を通り大腿５の内側のクロッチに至るように形成されていることが好ましい。大腿緊締部によって大腿骨の外側上顆から大腿部の内側に向けてテンションをかけることにより、衣服のズレを防止でき、下腿緊締部によるスクリューホームムーブメントを促す効果がより確実になる。
【００２７】
実施形態１の衣服において、大腿緊締部２０は、衣服本体に形成されている接合部２０ｂと、一方の末端が大腿骨１の外側上顆２よりも遠位かつ後方の下腿緊締部１０に接続する位置に固定され、他方の末端は接合部２０ｂと脱着可能に接合する取付け部２０ａで構成されていてもよい。接合部２０ｂと取付け部２０ａは、面ファスナーで接合することができる。取付け部２０ａは、ゴムベルトで構成してもよい。取付け部２０ａをゴムベルトで構成し、ゴムベルトと接合部が接合する位置を調整することにより、テンションを調整することができる。
【００２８】
実施形態２の衣服の場合、図４に示しているように、大腿緊締部１２０は大腿骨１の内側上顆６よりも遠位かつ後方の下腿緊締部１１０に接続する位置から膝蓋骨３の上部を通り大腿５の外側に至るように形成されていることが好ましい。より好ましくは、大腿緊締部１２０は大腿骨１の内側上顆６よりも遠位かつ後方の下腿緊締部１１０に接続する位置から膝蓋骨３の上部を通り大腿５の大転子に至るように形成されていることが好ましい。大腿緊締部によって大腿骨の内側上顆から大腿部の外側に向けてテンションをかけることにより、衣服のズレを防止でき、下腿緊締部によるスクリューホームムーブメントを促す効果がより確実になる。
【００２９】
実施形態２の衣服において、大腿緊締部１２０は、衣服本体に形成されている接合部１２０ｂと、一方の末端が大腿骨１の内側上顆６よりも遠位かつ後方の下腿緊締部１１０に接続する位置に固定され、他方の末端は接合部１２０ｂと脱着可能に接合する取付け部１２０ａで構成されていてもよい。接合部１２０ｂと取付け部１２０ａは、面ファスナーで接合することができる。取付け部１２０ａは、ゴムベルトで構成してもよい。取付け部１２０ａをゴムベルトで構成し、ゴムベルトと接合部が接合する位置を調整することにより、テンションを調整することができる。
【００３０】
本発明の衣服は、さらに腰緊締部を有してもよい。上記腰緊締部は、仙骨と上前腸骨棘を覆うように形成されていることが好ましい。腰緊締部によって腰部の締付けを調整することにより、タイツのズレを防止し、下腿緊締部によるスクリューホームムーブメントを促す効果をより確実にすることができる。上記腰緊締部は、仙骨を覆う仙骨緊締部と、上前腸骨棘を覆う腸骨緊締部を別々に形成して繋げたものであってもよい。この場合、上記腸骨緊締部は、一方の末端が衣服本体に固定され、他方の末端が衣服本体と、例えば面ファスナーなどで脱着可能に接合するように形成されていてもよい。腰緊締部は、ゴムベルトで構成してもよい。ゴムベルトで構成された腰緊締部と衣服本体が接合する位置を調整することにより、テンションを調整することができる。
【００３１】
本発明において、緊締部の幅は、本発明の効果を発揮し得る範囲内で適宜設定すればよく、特に限定されない。例えば、スクリューホームムーブメントを促しやすい観点から、下腿緊締部の幅は、２ｃｍ以上であることが好ましく、より好ましくは３ｃｍ以上である。着用感の観点から、下腿緊締部の幅は、９．５ｃｍ以下であることが好ましく、より好ましくは８．５ｃｍ以下である。下腿緊締部は、幅が均一な帯状であってもよく、幅が不均一な帯状であってもよい。好ましくは、下腿緊締部は略直線状である。また、例えば、テンションをかけやすいという観点から、大腿緊締部の幅は、２ｃｍ以上であることが好ましく、より好ましくは２．５ｃｍ以上である。着用感の観点から、大腿緊締部の幅は、８．５ｃｍ以下であることが好ましく、より好ましくは５ｃｍ以下である。大腿緊締部は、幅が均一な帯状であってもよく、幅が不均一な帯状であってもよい。好ましくは、大腿緊締部は略直線状である。また、例えば、タイツのズレを防止する観点から、腰緊締部の幅は、２ｃｍ以上であることが好ましく、より好ましくは４．５ｃｍ以上である。着用感の観点から、腰緊締部の幅は、１７ｃｍ以下であることが好ましく、より好ましくは１４ｃｍ以下である。
【００３２】
本発明の衣服がタイツの場合について、以下図面に基づいて詳細に説明する。なお、本発明の衣服は、これらに限定されない。
【００３３】
図７Ａは本発明の一例の衣服の正面図であり、図７Ｂは同背面図であり、図７Ｃは同右外側面図である。図７Ａ〜図７Ｃに示しているように、衣服２００は、帯状の下腿緊締部２１０を有する。下腿緊締部２１０は、大腿骨の外側上顆よりも近位かつ後方から膝蓋骨下部を通って下腿内側の内踝上部に至るように形成されている。
【００３４】
図８Ａは本発明の他の一例の衣服の正面図であり、図８Ｂは同背面図であり、図８Ｃは同右外側面図である。図８Ａ〜図８Ｃに示しているように、衣服３００は、帯状の下腿緊締部３１０を有する。下腿緊締部３１０は、大腿骨の内側上顆よりも近位かつ前方から膝裏を通って下腿外側に至るように形成されている。
【００３５】
図９Ａは本発明の他の一例の衣服の正面図であり、図９Ｂは同背面図であり、図９Ｃは同右外側面図である。図９Ａ〜図９Ｃに示しているように、衣服４００は、帯状の下腿緊締部４１０に加えて、大腿緊締部４２０と腰緊締部４３０を有する。下腿緊締部４１０は、大腿骨の外側上顆よりも近位かつ後方から膝蓋骨下部を通って下腿内側の内踝上部に至るように形成されている。大腿緊締部４２０は、大腿骨の外側上顆よりも遠位かつ後方の下腿緊締部４１０に接続する位置から膝蓋骨３の上部を通り大腿の内側のクロッチに至るように形成されている。大腿緊締部４２０は、具体的には、衣服本体に形成されている接合部４２０ｂと、一方の末端が大腿骨の外側上顆よりも遠位かつ後方の下腿緊締部４１０に接続する位置に固定され、他方の末端は接合部４２０ｂと脱着可能に接合する取付け部４２０ａで構成されている。腰緊締部４３０は、仙骨緊締部４３１と腸骨緊締部４３２で構成されている。仙骨緊締部４３１は、仙骨を覆うように形成されている。腸骨緊締部４３２は、上前腸骨棘を覆うように、一方の末端が衣服本体に固定され、他方の末端が衣服本体と接合手段４３３ａ、４３３ｂで脱着可能に接合するように形成されている。上記接合手段としては、例えば、面ファスナーなどを用いることができるが、特に制限はない。
【００３６】
図１０Ａ〜図１０Ｃは、それぞれ、図９Ａ〜図９Ｃに対応するものであり、大腿緊締部４２０の接合部４２０ｂと取付け部４２０ａが接合した状態と、腸骨緊締部４３２が接合手段４３３ａ、４３３ｂにより衣服本体に接合した状態を示している。
【００３７】
本発明において、衣服本体及び緊締部は伸縮性を有する生地で構成することができる。なお、大腿緊締部の取付け部及び腰緊締部は、上述したとおり、ゴムベルトで構成してもよい。緊締部を伸縮性生地で構成する場合は、緊締部を構成する生地の長さ方向の伸長率は、衣服本体の生地の長さ方向の伸長率より低い。また、緊締部は、連続的に形成されていてもよく、不連続的に形成されていてもよい。例えば、緊締部を、樹脂をドット状、ストライブ状、ボーダー状などにプリントすることで不連続的に形成してもよい。緊締部が不連続的に形成されている場合は、外縁で囲まれている部分全体が緊締部とみなされる。緊締部を樹脂で構成する場合は、例えば、シリコン樹脂、ウレタン樹脂、アクリル樹脂、ナイロンなどの樹脂を用いることができるが、特に制限はない。
【００３８】
本発明において、緊締部を構成する生地の身長方向の伸長率は、２０〜１６０％であることが好ましく、３０〜１５０％であることがより好ましい。下腿緊締部によってスクリューホームムーブメントを促すことができるとともに、圧迫感がなく着用感にも優れる。なお、各緊締部を構成する生地の身長方向の伸長率は同様であってもよく、異なっていてもよい。また、衣服本体を構成する生地の身長方向の伸張率は、４０％以上であることが好ましく、５０％以上であることがより好ましく、６０〜２５０％であることがさらに好ましい。圧迫感がなく着用感にも優れる。
【００３９】
また、緊締部を構成する生地の身幅方向の伸長率は、２０〜１６０％であることが好ましく、３０〜１５０％であることがより好ましい。下腿緊締部によってスクリューホームムーブメントを促すことができるとともに、圧迫感がなく着用感にも優れる。なお、各緊締部を構成する生地の身幅方向の伸長率は同様であってもよく、異なっていてもよい。また、衣服本体を構成する生地の身幅方向の伸張率は、５０％以上であることが好ましく、６０％以上であることがより好ましく、７０〜２５０％であることがさらに好ましい。圧迫感がなく着用感にも優れる。
【００４０】
本願において、生地の伸長率は、ＪＩＳ  Ｌ  １０９６  ８．１４．１  Ａ法（荷重１７．６Ｎ、引張速度２００ｍｍ／ｍｉｎ）に基づいて測定するものである。
【００４１】
上記衣服本体や緊締部を構成する生地としては、例えば、トリコット編、ラッセル編などの経編を用いることができる。上記生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。上記生地は、特に限定されないが、例えば、目付けが１２０〜３８０ｇ／ｍ2の範囲が好ましく、より好ましくは１６０〜３４０ｇ／ｍ2の範囲、さらに好ましくは２４０〜２８０ｇ／ｍ2の範囲である。目付が上記の範囲であれば、耐久性も良く、軽くて動きやすい利点がある。
【実施例】
【００４２】
以下実施例を用いてさらに具体的に説明する。なお、本発明は下記の実施例に限定されるものではない。
【００４３】
（実施例１）
本体生地として、身長方向の伸長率が７３．２％、身幅方向の伸長率が１１５．８％、目付けが２１０ｇ／ｍ2であるトリコット経編地（ポリエステル繊維８５質量％、ポリウレタン繊維１５質量％）を用い、図７に示すようなランニングタイツ２００（ＪＡＳＰＯ規格のＭサイズ）を作製した。そして、下腿緊締部生地として、身長方向の伸長率が６１．４％、身幅方向の伸長率が５４．１％、目付けが１７０ｇ／ｍ2であるトリコット経編地（ナイロン繊維７５質量％、ポリウレタン繊維２５質量％）を用い、図７に示すように下腿緊締部２１０を形成した。下腿緊締部２１０は、大腿骨の外側上顆よりも近位かつ後方から膝蓋骨下部を通って下腿内側の内踝上部に至るように帯状（幅４．５ｃｍ）に形成した。衣服本体と下腿緊締部は、下腿緊締部の外縁において一体化した。具体的には、下腿緊締部１０の下部固定部は下腿内側の内踝上部に設定し、上部固定部は大腿骨の外側上顆との身長方向及び周方向の最短直線距離がそれぞれ３ｃｍになるように設定した。
【００４４】
（実施例２）
本体生地として、身長方向の伸長率が７３．２％、身幅方向の伸長率が１１５．８％、目付けが２１０ｇ／ｍ2であるトリコット経編地（ポリエステル繊維８５質量％、ポリウレタン繊維１５質量％）を用い、図９〜図１０に示すようなランニングタイツ４００（ＪＡＳＰＯ規格のＭサイズ）を作製した。そして、下腿緊締部生地として、身長方向の伸長率が６１．４％、身幅方向の伸長率が５４．１％、目付けが１７０ｇ／ｍ2であるトリコット経編地（ナイロン繊維７５質量％、ポリウレタン繊維２５質量％）を用い、図９〜図１０に示すように下腿緊締部４１０を形成した。下腿緊締部４１０は、大腿骨の外側上顆よりも近位かつ後方から膝蓋骨下部を通って下腿内側の内踝上部に至るように帯状（幅４．５ｃｍ）に形成した。衣服本体と下腿緊締部は、下腿緊締部の外縁において一体化した。具体的には、下腿緊締部４１０の下部固定部は下腿内側の内踝上部に設定し、上部固定部は大腿骨の外側上顆との身長方向及び周方向の最短直線距離がそれぞれ３ｃｍになるように設定した。また、図９〜図１０に示すように、大腿骨の外側上顆よりも遠位かつ後方の下腿緊締部４１０に接続する位置から膝蓋骨上部を通り大腿の内側のクロッチに至るように大腿緊締部４２０を形成した。衣服本体に形成されている接合部４２０ｂは、身長方向の伸長率が７１％、身幅方向の伸長率が５６％、目付けが１５５ｇ／ｍ2であるトリコット経編地（ポリエステル繊維８０質量％、ポリウレタン繊維２０質量％）を用いて帯状（幅４ｃｍ）形成し、取付け部４２０ａはゴムベルト（幅４ｃｍ）で構成した。また、図９〜図１０に示すように、腰緊締部４３０を形成した。腰緊締部４３０は、仙骨を覆うように形成されている仙骨緊締部４３１（幅１７ｃｍ）と、上前腸骨棘を覆うように形成されている腸骨緊締部４３２（幅７ｃｍ）を含む。仙骨緊締部４３１と腸骨緊締部４３２は、身長方向の伸長率が７３．２％、身幅方向の伸長率が１１５．８％、目付けが２１０ｇ／ｍ2であるトリコット経編地（ポリエステル繊維８５質量％、ポリウレタン繊維１５質量％）と身長方向の伸長率が６１．４％、身幅方向の伸長率が５４．１％、目付けが１７０ｇ／ｍ2であるトリコット経編地（ナイロン繊維７５質量％、ポリウレタン繊維２５質量％）を縫い合わせることにより形成した。腸骨緊締部４３２の接合手段４３３ａ、４３３ｂは、面ファスナー（幅４ｃｍ、長さ８ｃｍ）で構成した。
【００４５】
実施例１及び実施例２のランニングタイツを歩行障害のない２０代の男性に着用させ、歩行への影響を確認した。コントロールとして、ランニングパンツを用いた。なお、実施例２のランニングタイツは、図１０Ａ〜図１０Ｃに示しているような、大腿緊締部４２０の接合部４２０ｂと取付け部４２０ａが接合した状態と、腸骨緊締部４３２が接合手段４３３ａ、４３３ｂにより衣服本体に接合した状態で着用した。
【００４６】
＜歩行試験＞
被験者の快適歩行速度（５．５ｋｍ／時間）でトレッドミルを歩行し、歩行１０サイクルの膝関節の屈曲伸展角度、内外旋角度、内外反角度を３次元動作解析装置Ｍａｃ−３Ｄシステムを用いて測定し、その結果を図１１〜図１３に示した。静止位の角度を０°とした。
【００４７】
図１１の遊脚時の最大膝伸展角度のグラフから分かるように、コントロールのランニングパンツを着用した場合に比べ、実施例１のランニングタイツを着用した場合、遊脚期の最大膝伸展角度が大きくなっていた。また、実施例２を着用することで遊脚期の最大膝伸展角度がさらに大きくなっていた。これから、実施例１、２のランニングタイツを着用することにより、しっかりと脚を振り出した歩行ができることが分かった。そして、その効果は下腿緊締部に加えて、大腿緊締部と腰緊締部がある方がより大きくなることが分かった。
【００４８】
図１２の最大膝伸展時の内外旋角度のグラフから分かるように、コントロールのランニングパンツを着用した場合に比べ、実施例１、２のランニングタイツを着用した場合、最大膝伸展時の外旋角度が大きくなっていた。これから、実施例１、２のランニングタイツを着用することにより、スクリューホームムーブメントが誘発されることが分かった。また、その効果は下腿緊締部に加えて、大腿緊締部と腰緊締部がある方がより大きくなることが分かった。
【００４９】
図１３の立脚中の膝内反角度の最大値のグラフから分かるように、コントロールのランニングパンツを着用した場合に比べ、実施例１、２のランニングタイツを着用した場合、立脚中の膝内反角度の最大値が小さくなっていた。これから、実施例１、２のランニングタイツを着用することにより、スクリューホームムーブメントが誘発され、それにより膝の安定性が増加することが分かった。また、その効果は下腿緊締部に加えて、大腿緊締部と腰緊締部がある方がより大きくなることが分かった。
【符号の説明】
【００５０】
１  大腿骨
２  大腿骨の外側上顆
３  膝蓋骨
４  下腿
５  大腿
６  内側上顆
１０、１１０、２１０、３１０、４１０  下腿緊締部
２０、１２０、２２０、３２０、４２０  大腿緊締部
２０ａ、１２０ａ、４２０ａ  大腿緊締部の取付け部
２０ｂ、１２０ｂ、４２０ｂ  大腿緊締部の接合部
２００、３００、４００  衣服
４３０  腰緊締部
４３１  仙骨緊締部
４３２  腸骨緊締部
４３３ａ、４３３ｂ  腸骨緊締部の接合手段
【図１】
0005947328.tif 000003
【図２】
0005947328.tif 000004
【図３】
0005947328.tif 000005
【図４】
0005947328.tif 000006
【図５】
0005947328.tif 000007
【図６】
0005947328.tif 000008
【図７】
0005947328.tif 000009
【図８】
0005947328.tif 000010
【図９】
0005947328.tif 000011
【図１０】
0005947328.tif 000012
【図１１】
0005947328.tif 000013
【図１２】
0005947328.tif 000014
【図１３】
0005947328.tif 000015